(57)【特許請求の範囲】
【請求項１】
蓄電池車両が停車中に集電装置を介して充電を行うための屋外の充電所に設けられる架線構造であって、
下面に前記集電装置が接触できるように軌条の上方に、軌条に沿って延長するように架設される良導電性金属帯板からなる電車線本体と、
前記電車線本体の延長方向の所定間隔毎に当該電車線本体を吊支するために軌条の側方に設けられる支持構造物と、
前記支持構造物から軌条に直交するように軌条の上方へ延出する支持体と、
前記支持体の下に碍子を介して前記電車線本体をそれの延線方向の所定間隔毎に支持する支持部材と、を具備し、
前記電車線本体は、垂直で平らな延線方向の左右両側面を持ち、延線直交方向に偏平な帯板状に構成され、
前記支持部材は、前記電車線本体の延線方向の所定間隔毎の左右両側面の上縁部に固着される一対の掛け金具と、前記碍子の下端に固着される台座と、この台座の下面に固着され前記掛け金具を支持する一対の支持サドルとを具備し、
前記一対の掛け金具は、第１の辺が前記電車線本体の垂直の側面に固着され、第２の辺が電車線本体の上端から直角に延線直交方向側方へ延出する断面Ｌ字状に構成され、
前記の一対の支持サドルは、前記掛け金具の第２の辺の下面を載せ受け、前記台座との間に当該第２の辺を保持する支持片を有し、
前記電車線本体は、前記支持部材による支持部の間に、上面に積雪を生じにくい延線直交方向に偏平な屋外の架空部を形成するように構成されることを特徴とする蓄電池車両の充電所用架線構造。
【請求項２】
前記電車線本体の上縁部の肉厚が上端に向かって漸減することを特徴とする請求項１に記載の蓄電池車両の充電所用架線構造。
【請求項３】
前記電車線本体は、隣接端部が一対の継ぎ目板に挟まれて延長方向に相互接続される所定長さの複数の単位帯板材からなり、
前記一対の継ぎ目板は、前記単位帯板材の上部側面に密着する挟持面と、当該挟持面の上端から直角に内側へ突出して下面が単位帯板材の上面の一部に掛かる突条部とを具備し、単位帯板材を挟んで三者を貫通する複数のボルトにより締め付け固定されることを特徴とする請求項１又は２に記載の蓄電池車両の充電所用架線構造。
【請求項４】
前記支持体は、前記碍子の上方に位置して、碍子を覆う雪除け用の屋根部材を具備することを特徴とする請求項１又は２に記載の蓄電池車両の充電所用架線構造。
【発明の詳細な説明】
【技術分野】
【０００１】
蓄電池車両は、屋外に設けられる充電所に停車し、充電用架線から集電装置を介してバッテリに充電を行う。本発明は、蓄電池車両の充電所に設けられる架線構造に関する。
【背景技術】
【０００２】
蓄電池車両が停車してバッテリに充電を行う充電所は、例えば駅や停留所、あるいは線路の途上に設置される。充電所には、大電流充電を行うために、充電用架線が設けられる。充電用架線は、充電所に数メートルから数十メートル程度の距離にわたって架設された剛体トロリなどからなる部分架線である（特許文献１参照）。剛体トロリとしては、断面Ｔ型の導電金属レールからなるもの（例えば特許文献２）、アルミＴ形材の下に一対の支持サドルによってトロリ線を把持固定したもの（例えば特許文献３）、断面Π型のアルミ剛体の下縁にトロリ線を挟持したもの（例えば特許文献４）などが知られている。
【先行技術文献】
【特許文献】
【０００３】
【特許文献１】特開２０１１−２４４２０号公報
【特許文献２】特開２００２−１５４３５２号公報
【特許文献３】特開２００７−３０７９２５号公報
【特許文献４】特開２００３−３９９９３号公報
【発明の概要】
【発明が解決しようとする課題】
【０００４】
上記従来の剛体トロリは、いずれも上部に水平の板状部を有するものである。このため、寒冷地では、板状部に雪が積もりやすく、積もった雪が落下して車両や集電装置に損傷を与える危険がある。剛体トロリは、自重が大きい上に、積雪により重量が増すと、大きな撓みを生じることから、支持点間隔を相対的に小さく取る必要があり（例えば２５ｍの架線長さに対し、６ｍの最大間隔で５箇所の支持点）、これに対応して、支持物にかかる費用がかさむ難点がある。また、剛体トロリ自体、大型重量物で、相対的に高価なものである。したがって、本発明は、積雪を防止し、支持点距離を相対的に大きく取って設備費を抑制できると共に、トロリ自体の材料コストも引き下げることができる充電所用の架線構造を提供することを目的としている。
【課題を解決するための手段】
【０００５】
以下、添付図面の符号を参照して説明するが、本発明はこれに限定されるものではない。
上記課題を解決するための、本発明の充電所用の架線構造１は、蓄電池車両が停車中に集電装置を介して充電を行うための屋外の充電所に設けられる架線構造であって、集電装置が接触する電車線本体２と、これを支持する支持構造物３と、支持構造物３から軌条に直交するように軌条の上方へ延出する支持体４と、支持体４の下に碍子５を介して電車線本体２を支持する支持部材６とを具備する。電車線本体２は、帯板状の良導電性金属板からなり、下面に集電装置が接触できるように軌条の上方に、軌条に沿って延長するように架設される。支持構造物３は、電車線本体２の延長方向の所定間隔毎に軌条の側方に設けられる。支持部材６は、一対の掛け金具１５と、台座１３と、一対の支持サドル１４とを具備する。一対の掛け金具１５は、電車線本体２の上縁部の両面に固着される。台座１３は、碍子５の下端に固着される。一対の支持サドル１４は、台座１３の下面に固着され、掛け金具１５を支持する。一対の掛け金具１５は、断面Ｌ字状で、第１及び第２の辺１５ａ、１５ｂを有し、第１の辺１５ａが電車線本体２の側面に固着され、第２の辺１５ｂが電車線本体２の上端から直角に側方へ延出する。一対の支持サドル１４は、支持片１４ｂを有し、これが、掛け金具１５の第２の辺１５ｂの下面を載せ受け、台座１３との間に第２の辺１５ｂを保持する。
【発明の効果】
【０００６】
本発明の架線構造１においては、電車線本体２が帯板状の良導電性金属板からなるから、上部への積雪のおそれがない。電車線本体２が相対的に薄型、軽量であるから、材料費を節減でき、また支持点の間隔を大きく（例えば２４ｍの架線長さに対して１０ｍの最大間隔で３箇所の支持点）取ることができるので、設備費用が削減される。
【図面の簡単な説明】
【０００７】
【図１】本発明に係る架線構造の概略的斜視図である。
【図２】図１の架線構造の一部の正面図である。
【図３Ａ】図１の架線構造の一部の正面図である。
【図３Ｂ】図１の架線構造の一部の正面図である。
【図４】図３の部分の側面図である。
【図５】電車線本体の接続構造を示すもので、（Ａ）は正面図、（Ｂ）は断面図である。
【発明を実施するための形態】
【０００８】
図面を参照して本発明の実施の形態を説明する。
充電所用の架線構造１は、蓄電池車両が、停車中に集電装置を介して充電を行うための屋外の充電所に設けられる架線構造である。この架線構造は、集電装置が接触する電車線本体２と、これを支持する支持構造物３と、この支持構造物３に基端側が支持される支持体４と、支持体４の下に碍子５を介して電車線本体２を支持する支持部材６とを具備する。
【０００９】
電車線本体２は、帯板状のアルミニウム等の良導電性金属板からなり、その下面に集電装置が接触できるように、軌条の上方に、軌条に沿って延長するように架設される。電車線本体２を、複数の単位帯板材２ａ、２ｂを接続して構成する場合には、図５に示すように、隣接端部を一対の継ぎ目板１６で挟みボルトナット１７で締め付けて接続する。
【００１０】
支持構造物３は、例えばコンクリート柱からなり、電車線本体２の延長方向の所定間隔毎に軌条の側方に設けられる。
【００１１】
支持体４は、例えば、支持構造物３に基端側が支持される水平支持パイプ７と、上端において水平支持パイプ７の先端部に固着され垂直に延出する平行一対の垂直パイプ８と、垂直パイプ８間に架設される吊り金具９とを具備する。水平支持パイプ７は、支持構造物３から軌条に直交するように軌条の上方へ延出する。
【００１２】
吊り金具９は、一対の吊り脚１０と、それぞれ吊り脚１０に支持される水平の支持板１１と、その上方の屋根部材１２とを具備する。
【００１３】
一対の吊り脚１０は、上端においてそれぞれ垂直パイプ８に固着され、垂直パイプ８の内側を平行に下方へ延びる。支持板１１は、吊り脚１０の下端間に水平に支持される。屋根部材１２は、切り妻屋根状の庇を有し、支持板１１の上方において吊り脚１０間に支持され、支持板１１上に雪が積もらないように、支持板１１を覆う。支持板１１の下に碍子５の上端が固着される。
【００１４】
支持部材６は、台座１３と、一対の支持サドル１４と、一対の掛け金具１５とを具備する。一対の掛け金具１５は、電車線本体２の上縁部の両面に固着される。台座１３は、水平板状で、碍子５の下端に固着される。一対の支持サドル１４は、台座１３の両側下面に固着され、掛け金具１５を支持する。一対の掛け金具１５は、断面Ｌ字状で、第１及び第２の辺１５ａ、１５ｂを有し、第１の辺１５ａが電車線本体２の側面に固着され、第２の辺１５ｂが電車線本体２の上端から直角に側方へ延出する。
【００１５】
一対の支持サドル１４は、それぞれ台座１３の下面に固着される固定辺１４ａと、固定辺１４ａの内側に段部を介して連続する支持片１４ｂとを具備する。支持片１４ｂは、台座１３の下面との間に間隔を置いてこれとほぼ平行に延び、掛け金具１５の第２の辺１５ｂの下面を載せ受ける。例えば、電車線本体２を両端部と中間の３箇所において支持する場合、中間の支持箇所においては、図３Ａに示すように、掛け金具１５の第２の辺１５ｂを支持片１４ｂと台座１３との間で締め付けて固定し、両端部においては、掛け金具１５の第２の辺１５ｂを締め付けることなく、支持片１４ｂの上に載せ受けて、伸縮を許容するように支持する。
【００１６】
この架線構造１においては、電車線本体２が帯板状の良導電性金属板からなるから、上部への積雪のおそれがない。必要に応じ、電車線本体２の上縁部の肉厚を上端に向かって漸減させる形状とすることにより、さらなる積雪防止策を講じることができる。碍子５の上方にある屋根部材１２が、その下方の支持板１１、碍子５、支持部材６への積雪を防止する。したがって、雪の落下による車両や集電装置の損傷事故が起こるおそれがない。電車線本体２が相対的に薄型、軽量であるから、材料費を節減でき、また支持点の間隔を大きく取ることができるので、設備費用が削減される。
【符号の説明】
【００１７】
１      架線構造
２      電車線本体
２ａ    単位帯板材
２ｂ    単位帯板材
３      支持構造物
４      支持体
５      碍子
６      支持部材
７      水平支持パイプ
８      垂直パイプ
９      吊り金具
１０    吊り脚
１１    支持板
１２    屋根部材
１３    台座
１４    支持サドル
１４ａ  固定辺
１４ｂ  支持片
１５    掛け金具
１５ａ  第１の辺
１５ｂ  第２の辺
１６    継ぎ目板
１７    ボルト・ナット
【図１】
0006590544.tif 000002
【図２】
0006590544.tif 000003
【図３Ａ】
0006590544.tif 000004
【図３Ｂ】
0006590544.tif 000005
【図４】
0006590544.tif 000006
【図５】
0006590544.tif 000007